(57)【要約】【課題】立体的に体に合わせた、体にぴったりとした、一般に従来の保護衣服よりも軽く、快適であり、比較的低コストで大量に製造することのできる保護衣服の提供。【解決手段】本発明は、体に合わせた伸縮性の医療用保護衣服であって、医療用保護衣服は、一体的に形成された衣服本体であって、衣服本体の一部または全部が、弾性材料又は液体不浸透性材料から構成されている衣服本体を含み、医療用保護衣服は、同じ衣服の中に異なる厚みを有するように形成されており、内側表面と外側表面を有しており、吸収性材料又は吸収性デバイスが取り付けられており、医療用保護衣服の内側表面及び外側表面の少なくとも一部に繊維が貼付されており、医療用保護衣服の少なくとも一部には、蒸泄を可能にする多数の穿孔が形成されており、液体不浸透性材料及び／又は繊維は少なくとも一つの顔料、染料又はそれらの組み合わせを含む。【選択図】図４
2011047100.tif 000002
【特許請求の範囲】
【請求項１】
体に合わせた伸縮性の医療用保護衣服であって、前記医療用保護衣服は、他の服の上に着用されるか、又は他の服と一緒に着用されず、前記医療用保護衣服は、一体的に形成された衣服本体であって、前記衣服本体の一部または全部が、弾性材料又は液体不浸透性材料から構成されている衣服本体を含み、
前記医療用保護衣服は、同じ衣服の中に異なる厚みを有するように形成されており、
前記医療用保護衣服は、内側表面と外側表面を有しており、
前記医療用保護衣服には、吸収性材料又は吸収性デバイスが取り付けられており、
前記医療用保護衣服の前記内側表面及び前記外側表面の少なくとも一部に繊維が貼付されており、
前記医療用保護衣服の少なくとも一部には、蒸泄を可能にする多数の穿孔が形成されており、
前記液体不浸透性材料及び／又は前記繊維は少なくとも一つの顔料、染料又はそれらの組み合わせを含む、体に合わせた伸縮性の医療用保護衣服。
【請求項２】
前記液体不浸透性材料は、天然エラストマー又は人工エラストマー又はそれらの組み合わせである、請求項１に記載された、体に合わせた伸縮性の医療用保護衣服。
【請求項３】
前記人工エラストマーは、ポリイソブチレン、イソブチレン−イソプレンのコポリマー（ブチルエラストマー）、ポリビニルアセテート、ポリイソプレン、ポリエチレン、コポリマーの重量で、約５％から約５０％のビニルラウリン酸含有率を有する酢酸ビニル−ラウリン酸ビニルのコポリマー、ネオプレン（ポリクロロプレン）、熱可塑性エラストマー、ニトリルゴム、（タンパク質を有さない）合成ラテックス、スチレン・エラストマー、ポリウレタン、及びシリコンゴム、並びにそれらの組み合わせである、請求項２に記載された、体に合わせた伸縮性の医療用保護衣服。
【請求項４】
前記天然エラストマーは、天然ゴムである、請求項２に記載された、体に合わせた伸縮性の医療用保護衣服。
【請求項５】
前記天然ゴムは、灰色ラテックス又は液体ラテックス及びグアユールである、請求項４に記載された、体に合わせた伸縮性の医療用保護衣服。
【請求項６】
前記吸収性材料又は吸収性デバイスの一部が、前記医療用保護衣服に取り付けられ、前記吸収性材料又は吸収性デバイスの別の部分は、前記医療用保護衣服に取り付けられていない、請求項１に記載された、体に合わせた伸縮性の医療用保護衣服。
【請求項７】
前記吸収性材料又は吸収性デバイスが、様々な部分で前記衣服本体に連結され、前記吸収性材料又は吸収性デバイスのポケットが形成されている、請求項６に記載された、体に合わせた伸縮性の医療用保護衣服。
【請求項８】
前記衣服本体に関連付けられた吸収性デバイス又は吸収性材料は、医療用軟膏、治療用薬品、又は診断材料を含む、請求項１から請求項７までのいずれか一項に記載された、体に合わせた伸縮性の医療用保護衣服。
【請求項９】
前記医療用保護衣服は、エンボス模様又はエンボスパタンをさらに含む、請求項１に記載された、体に合わせた伸縮性の医療用保護衣服。
【請求項１０】
前記液体不浸透性材料及び／又は前記繊維が、少なくとも一つの香料を含む、請求項１に記載された、体に合わせた伸縮性の医療用保護衣服。
【請求項１１】
前記医療用保護衣服は、着用者にぴったりと又は快適に合うように、前記衣服本体を調節するために、ストラップ又は他のタイプの調節デバイスをさらに含む、請求項１に記載された、体に合わせた伸縮性の医療用保護衣服。
【請求項１２】
前記調節デバイスは、スナップ、クリップ、又はファスナである、請求項１１に記載された、体に合わせた伸縮性の医療用保護衣服。
【請求項１３】
前記医療用保護衣服は、包帯材である、請求項１に記載された、体に合わせた伸縮性の医療用保護衣服。
【請求項１４】
前記包帯材が、包帯である、請求項１３に記載された、体に合わせた伸縮性の医療用保護衣服。
【請求項１５】
前記医療用保護衣服は、フェイス・マスク・デバイスである、請求項１に記載された、体に合わせた伸縮性の医療用保護衣服。
【請求項１６】
前記医療用保護衣服は、足の保護デバイスである、請求項１に記載された、体に合わせた伸縮性の医療用保護衣服。
【請求項１７】
前記医療用保護衣服は、乳房切除処置用のブラジャである、請求項１に記載された、体に合わせた伸縮性の医療用保護衣服。
【請求項１８】
前記医療用保護衣服は、静脈注射の液体の装置のための腕の一部分の形状を有する、請求項１に記載された、体に合わせた伸縮性の医療用保護衣服。
【発明の詳細な説明】
【技術分野】
【０００１】
本出願は、２００２年１１月２７日出願の、米国特許仮出願第６０／４２９，６４７号の特典を請求し、その開示を参照により本明細書の一部とする。
【０００２】
本発明は、一般に保護衣服、並びにその製造方法に関する。
【背景技術】
【０００３】
特許文献により様々なタイプの保護用下着が知られている。以下の特許、特許出願、及びそこに引用された参考文献が、最新の技術を表すと思われる。米国特許第５，０９８，４１９号、ＰＣＴ発行特許出願第ＷＯ９６／３６２４８号及び欧州特許第３２７，８２３号である。
【先行技術文献】
【特許文献】
【０００４】
【特許文献１】米国特許第５，０９８，４１９号明細書
【特許文献２】国際公開第９６／３６２４８号
【特許文献３】欧州特許第３２７，８２３号明細書
【発明の概要】
【発明が解決しようとする課題】
【０００５】
本発明は、保護衣服であって、立体的に体に合わせた、体にぴったりとした、一般に従来の保護衣服よりも軽く、快適であり、比較的低コストで大量に製造することのできる保護衣服を提供することを模索する。保護衣服は、他の服の下に着用することもでき、服なしで体の一部に着用することもでき、または服の上に着用することもできる。本明細書で使用する「衣服」とは下着、又は包帯材などの体に着用する任意の品物を指す。本明細書で使用する「包帯材」とは、炎症箇所、又は傷口、又は体液が排泄若しくは排出される体の任意の開口部位に対する任意のカバー、例えば包帯、又は授乳パッド、又は鎮痛剤などの皮膚を通して与えられる任意の外部処置などを含むが、それに限定されるものではない。
【課題を解決するための手段】
【０００６】
したがって、本発明の一実施態様による保護衣服が提供される。一実施態様では、保護衣服は保護用下着である。他の実施態様では、保護衣服は保護用包帯材である。保護衣服は、服の用途又は医療用途を含む様々な用途で使用することができる。この保護衣服は、２つの部分を含むことができる：（１）（一体的に形成することができ、液体不浸透性材料から構成することができる）衣服本体；（２）衣服本体に関連付けられた（パッドなどの）吸収性デバイス又は吸収性材料。
【０００７】
衣服本体は、蒸泄を可能にする多数の穿孔が設けられた第１部分と、体の分泌物及び包帯剤が通過するのを防止するように、実質的に穿孔しない第２部分とを含むことが好ましい。
【０００８】
本発明の一実施態様によると、吸収性デバイス又は吸収性材料は、第２部分で衣服本体と関連付けられる。
【０００９】
一実施態様では、衣服本体の第２部分は、吸収性デバイス又は吸収性材料の範囲を超えて延在する。代替実施態様では、吸収性材料又は吸収性パッドは、衣服本体の第２部分の範囲を超えて延在することができる。
【００１０】
本発明の好ましい実施態様によって、液体不浸透性材料から形成された一体形成の衣服本体を備える保護衣服が、さらに提供され、その衣服本体は、蒸泄を可能にする多数の穿孔が設けられた第１部分と、体の分泌物及び包帯剤が通過するのを防止するように、実質的に穿孔されない第２部分とを含む。
【００１１】
液体不浸透性材料は、ラテックスなどの天然エラストマーであることが好ましい。
【００１２】
別法として、液体不浸透性材料は、シリコンゴム又はポリウレタンなどの人工エラストマーである。
【００１３】
本発明の実施態様によって、衣服本体は、３００ミクロン未満の厚みを有することができる。
【００１４】
この保護衣服は、下着本体に関連付けられた吸収性デバイス又は吸収性材料も含むことが好ましい。
【００１５】
この保護衣服は、ブラジャ、パンツ、医療用包帯材、又は他の適切な衣服若しくは医療用デバイスであることができる。
【００１６】
この保護衣服は、衣服本体の１表面の少なくとも一部に貼付される繊維を有することができる。
【００１７】
本発明の一実施態様によって、吸収性デバイス又は吸収性材料は、股から大腿部に沿って下向きに延在する部分を含む。
【００１８】
本発明の好ましい実施態様により、保護衣服の製造方法であって、液体不浸透性材料の衣服本体を形成するステップと、蒸泄を可能にするように、衣服本体の第１部分に多数の穿孔を形成するステップとを含む方法がさらに提供される。
【００１９】
本発明の好ましい実施態様によれば、この方法は、繊維を、下着本体の少なくとも１表面に貼付するステップを含む。例えば、綿繊維を、下着本体の少なくとも１表面に貼付することができる。
【００２０】
本発明の代替実施態様では、保護衣服は、次の２つの部分を含むことができる。（１）（一体的に形成することができ、液体不浸透性材料から構成することができる）衣服本体及びコネクタ、及び（２）管。衣服本体は、体の任意の部分に着用することができる。体の一部分の一例としては、顔の一部分などがある。体の一部分の他の例としては、腕の一部分などがある。
【００２１】
コネクタは、衣服本体と一体であることができる。或いは別法として、コネクタは、衣服本体とは分離して、それに取り付けることができる。コネクタは、管を保護衣服に連結させる。管は、体から体液を吸収若しくは排出し、或いは体に液体を送達することができる。衣服本体は、天然エラストマー及び人工エラストマーなどの液体不浸透性材料から構成することができる。合成エラストマーの限定しない実施態様としては、ポリイソブチレン、イソブチレン−イソプレンのコポリマー（ブチルエラストマー）、ポリビニルアセテート、ポリイソプレン、ポリエチレン、コポリマーの重量で、約５％から約５０％のビニルラウリン酸含有率を有する酢酸ビニル−ラウリン酸ビニルのコポリマー、ネオプレン（ポリクロロプレン）、熱可塑性エラストマー、ニトリルゴム、（タンパク質を有さない）合成ラテックス、スチレン・エラストマー、ポリウレタン、及びシリコンゴム、並びにそれらの組み合わせなどがある。天然エラストマーの限定しない実施態様としては、灰色ラテックス又は液体ラテックス及びグアユール、並びにそれらの組み合わせなどがある。さらに衣服本体は、蒸泄を可能にする多数の穿孔が設けられた部分を含むことができる。
【００２２】
コネクタは、金属、プラスチック、（例えば金属とプラスチックなどの）複合物などの形状保持材料、又は他の任意の適切な材料から構成することができる。プラスチックの限定しない実施態様としては、ポリウレタン、ポリアクリルアミド、及びポリ塩化ビニル（ＰＶＣ）などがある。コネクタは、（例えば吸収性材料などの）材料がそれに関連付けられるようにする。コネクタは、圧入によって、コネクタ、管、或いはコネクタと管の双方をねじ切りするなどによって、多様なやり方で管と嵌め合わさることができる。
【００２３】
本発明の保護衣服は、（例えば顔料又は染料などの）色彩及び／又は（例えば香料などの）芳香を、液体不浸透性材料及び／又は繊維の中に備えることもできる。色彩又は芳香を、例えばエラストマー・エマルジョンに加えてから、（保護衣服にその形状を与える）型をエマルジョンの中に浸すことができる。さらに、本発明の保護衣服は、エンボス模様又はエンボスパタンを備えることができる。それらの模様又はパタンは、衣服の型に模様を彫ることによって作り出すことができる。例えば、保護衣服が子供によって使用される場合、デディー・ベアの模様を型に形成することができ、それによって使用者に対してより魅力的な外観を衣服に与える。さらに、（例えば所望域を（事前加硫若しくは事後加硫された）液体ラテックス、又は合成エラストマー前駆物質溶液にさらに浸漬することによって、或いは浸漬前に所望域で凝固剤を型に塗布して、より厚い結果を得ることによって）同じ衣服に異なった厚みの模様を作り出すことができる。
【００２４】
また、本明細書は下記の発明も開示している。
【００２５】
保護衣服であって、
ａ）第１部分と第２部分を備えた内部表面を有する、液体不浸透性材料の一体的に形成された衣服本体と、
ｂ）前記一体的に形成された衣服本体の前記第１部分に関連付けられた吸収性デバイスと、
ｃ）前記一体的に形成された衣服本体の第２部分の内側表面の少なくとも一部に貼付された繊維とを備える保護衣服。
【００２６】
前記吸収性デバイスに関連付けられた前記衣服の部分、及び前記吸収性デバイスに関連付けられた前記衣服本体の部分の近傍以外で、前記繊維が前記一体的に形成された衣服本体の前記内側表面に貼付される保護衣服。
【００２７】
前記第２部分に、蒸泄を可能にする多数の穿孔が設けられる保護衣服。
【００２８】
前記第１部分が、蒸泄を防止するように実質的に穿孔されていない保護衣服。
【００２９】
前記一体的に形成された衣服本体が外側表面を有し、前記一体的に形成された衣服本体の前記外側表面の少なくとも一部分に貼付される繊維をさらに備える保護衣服。
【００３０】
前記液体不浸透性材料がゴムである保護衣服。
【００３１】
前記繊維が綿である保護衣服。
【００３２】
前記第１部分が前記吸収性デバイスを超えて延在する保護衣服。
【００３３】
前記衣服が体にぴったりとした縫い目のない衣服である保護衣服。
【００３４】
前記衣服が下着である保護衣服。
【００３５】
前記下着がパンツである保護衣服。
【００３６】
前記下着がブラジャである保護衣服。
【００３７】
前記衣服が包帯材である保護衣服。
【００３８】
前記包帯材が包帯である保護衣服。
【００３９】
前記包帯材が授乳パッドである保護衣服。
【００４０】
前記液体不浸透性材料が天然エラストマーである保護衣服。
【００４１】
前記液体不浸透性材料が合成エラストマーである保護衣服。
【００４２】
前記液体不浸透性材料及び／又は前記繊維が、少なくとも１つの顔料、染料、又はそれらの組み合わせを備える保護衣服。
【００４３】
前記液体不浸透性材料及び／又は前記繊維が、少なくとも１つの芳香を備える保護衣服。
【００４４】
エンボス模様又はエンボスパタンをさらに備える保護衣服。
【００４５】
前記衣服が、コネクタ、及び前記コネクタによって前記衣服本体に連結される管を備える保護衣服。
【００４６】
前記コネクタが吸収性材料と関連付けられる保護衣服。
【００４７】
前記管が体から液体を吸収し、又は移送することができる保護衣服。
【００４８】
前記管が液体を体に送達することができる保護衣服。
【００４９】
前記コネクタが前記包帯材本体と一体的に形成される保護衣服。
【００５０】
前記コネクタが前記包帯材本体から分離して、そこに取り付けられる保護衣服。
【００５１】
前記衣服が下着又は包帯材である保護衣服。
【００５２】
前記コネクタが、液体不浸透性材料で構成され、前記液体不浸透性材料が天然エラストマー又は合成エラストマーである保護衣服。
【００５３】
図面と併せて考慮すれば、以下の詳しい記述から、本発明がより完全に理解され、評価されよう。
【図面の簡単な説明】
【００５４】
【図１Ａ】図１Ａは、本発明の好ましい実施例による保護衣服を製造する方法を示す図である。
【図１Ｂ】図１Ｂは、本発明の好ましい実施例による保護衣服を製造する方法を示す図である。
【図１Ｃ】図１Ｃは、本発明の好ましい実施例による保護衣服を製造する方法を示す図である。
【図１Ｄ】図１Ｄは、本発明の好ましい実施例による保護衣服を製造する方法を示す図である。
【図１Ｅ】図１Ｅは、本発明の好ましい実施例による保護衣服を製造する方法を示す図である。
【図１Ｆ】図１Ｆは、本発明の好ましい実施例による保護衣服を製造する方法を示す図である。
【図１Ｇ】図１Ｇは、本発明の好ましい実施例による保護衣服を製造する方法を示す図である。
【図１Ｈ】図１Ｈは、本発明の好ましい実施例による保護衣服を製造する方法を示す図である。
【図１Ｉ】図１Ｉは、本発明の好ましい実施例による保護衣服を製造する方法を示す図である。
【図２】図２は、概ね本発明の好ましい実施例による図１Ａ〜Ｆの方法によって製造された保護衣服の簡略図である。
【図３Ａ】図３Ａは、医療用保護衣服の簡略図である。
【図３Ｂ】図３Ｂは、（授乳用）衛生ブラジャ、又は（乳腺手術後に使用する）医療用ブラジャ衣服の簡略図である。
【図４】図４は、他の医療用保護衣服の簡略図である。
【図５】図５は、衣服本体、コネクタ、及び管を備えた衣料用保護衣服の簡略図である。
【実施例】
【００５５】
ここで、図１Ａ、１Ｂ、１Ｃ、１Ｄ、１Ｅ、１Ｆ、１Ｇ、１Ｈ、１Ｉを参照するが、それらは、本発明の好ましい実施例による保護用下着を製造する方法の簡略図である。本発明を、特にパンツに関して図１Ａ〜１Ｉを参照して以下に述べるが、本発明は、他の任意の適切な衣服（パンツ、他の衣服の上に着用する衣服、又は他の衣服とは併せずに着用する衣服）にも等しく当てはまる。
【００５６】
図１Ａで分かるように、立体的衣服の型１０を提供するが、そこに、針などの突起部１４の列１２が、形成するパンツの全体形状に形成される。突起部１４は、ＴＥＦＬＯＮ（登録商標）で覆うことが好ましい。パンツの股部域１６には、突起部１４を設けないことが好ましい。型１０の残りの部分は、ＴＥＦＬＯＮ（登録商標）などの非粘着性物質で被覆することが好ましい。別のやり方で、穿孔を（例えばローラ・プレスなどの）機械的手段によって形成することもできる。
【００５７】
図１Ｂで示すように、衣服型１０は、ラテックス又はシリコンなどの液体１７に浸漬することが好ましく、それは、乾燥すると、伸縮可能な軽量の衣服１８を、列１２及び股部域１６の上に形成する。突起部１４を設けることによって、衣服１８が、股部域１６以外で穿孔されることを理解されたい。したがって、衣服１８は、液体不浸透性の股部域１６以外で「通気可能」である。
【００５８】
衣服型１０を液体１７の中に浸漬することに引き続いて、衣服１８を（図示しない）機械的デバイスで摩擦して、余分なエラストマー材料を除去することができる。
【００５９】
本発明の好ましい実施例によると、図１Ｃで示すように、吸収性パッド２０が、股部域１６で軽量衣服１８と関連付けられる。しかし吸収性パッド２０を、必要に応じて股部域を超えて拡張することもできる。吸収性パッドを、粘着剤を使用することによって関連付け、又はラテックスが吸収パッド２０と係合して、型１０上で乾燥することによって、衣服１８の残りの部分に取り付けることができる。
【００６０】
型１０上の衣服の外部表面は、最終的には裏返しにされて内部表面を形成するが、型１０から衣服１８を取り外す前に、図１Ｄで示すように粘着剤２２を、その後図１Ｅで示すように綿繊維２４又は他の任意の適切な材料を噴霧することが好ましく、それによって快適でべたつきのない、皮膚に係合する表面を提供することができる。パッド２０は、図１Ｄ及び１Ｅのステップ中は、カバー２６で覆われることが好ましいが、カバーは、パッドから綿繊維への液体が移動することを防止するために、パッドの範囲を幾分超えて延在する。
【００６１】
その結果できた衣服３０を、図１Ｆで示すように型１０から取り外し、裏返すことができる。衣服３０の外側表面は、綿繊維若しくは他の任意の適切な材料で被覆し、又は他のやり方で覆い、適切な方法で仕上げることができる。
【００６２】
図１Ｇで分かるように、完成した衣服４０は、極めて軽量、低コスト、伸縮可能なパンツであることが好ましく、それは、吸収性材料で大部分を覆われた特定域以外で全体に穿孔されており、かつ内部の吸収パッドが一体的に形成されることが好ましい。この衣服は、ラテックス又はシリコンなどの弾性材料から形成され、厚みが３００ミクロン未満であることが好ましい。図１Ｈで分かるように、本発明の好ましい実施例によると、裂け目域４２を、衣服の脇などにおいて衣服に組み込むことができる。これにより、それを域４２で裂くことによって衣服を取り外すことが容易になる。一旦取り外すと、この裂かれた着用済み衣服を、図１Ｉで示すように廃棄することができる。
【００６３】
衣服１８の製造の最終段階は、当技術分野で知られているように、加硫プロセス及び衣服の端部裁断を含むことができる。
【００６４】
図２から分かるように、この衣服はパンツ５０、ブラジャ６０、又は他の任意の適切な衣服であることができる。パンツ５０のパッド６２は、着用者の脚に沿って下向きに延在する部分を有することができることに留意されたい。
【００６５】
図３Ａを参照すると、医療用保護衣服７０が示してある。医療用保護衣服は、衣服本体７２を含むことができる。衣服本体の一部分（又は衣服本体全体）を弾性材料又は液体不浸透性材料から構成することができる。材料の実施例としては、ラテックス又はシリコンなどがある。衣服本体７２は、それが着用者にぴったりと又は快適に合うように、衣服本体を調節するために、ストラップ７４又は（スナップ、クリップ、ファスナ、又は同様のものなどの）他のタイプの調節デバイスを含むことができる。衣服本体の一部又は全てを穿孔することができる。（図面に示さない）衣服本体の一部分を（綿繊維などの）材料で覆うことができ、それによって快適でべたつきのない、皮膚に係合する表面を提供することができる。図３Ａで示す医療用保護衣服７０は、（乳腺手術などの）医療処置後に、片方の乳房などの体の一部分を保護し、包帯をし、治療するのに使用することができる。衣服本体に関連付けられる吸収性デバイス又は吸収性材料としては、医療用軟膏、治療用薬品、又は診断材料などがある。図３Ｂを参照すると、衣服７６の代替実施例を示してあるが、それは（女性が母乳を飲ませる際の授乳用）衛生ブラジャ、又は（乳腺手術の後で使用する）医療用ブラジャ衣服の簡略図を示している。
【００６６】
図４を参照すると、他の医療用保護衣服８０の簡略図を示してある。医療用保護衣服８０は、衣服本体８２を含むことができる。衣服本体の一部分（又は衣服本体全体）を、弾性材料又は液体不浸透性材料で構成することができる。材料の実施例としては、ラテックス又はシリコンなどがある。衣服本体８２は、それが着用者にぴったりと又は快適に合うように、衣服本体を調節するために、ストラップ８４又は（スナップ、クリップ、ファスナ、又は同様のものなどの）他のタイプの調節デバイスを含むことができる。衣服本体の一部又は全てを穿孔することができる。（図面に示さない）衣服本体の一部分を（綿繊維などの）材料で覆うことができ、それによって快適でべたつきのない、皮膚に係合する表面を提供することができる。図４で示すように、吸収性材料８６を衣服本体８２に取り付けるが、材料８６の別の部分は衣服本体８２に取り付けなくてもよい。材料８６は、様々な部分で衣服本体に連結することができる。例えば材料８６をその端部の２箇所で、一方を衣服本体８２の上方部分に、他方を衣服本体８２の下方部分に取り付けることができる。このようなやり方で、ポケットを形成することもできる。図４に示す医療用保護衣服８０は、足などの四肢に使用することができ、糖尿病患者の治療で助けとなることができる。
【００６７】
図５を参照すると、衣服本体９２、コネクタ９４、及び管９６を備えた医療用保護衣服９０の簡略図を示してある。衣服本体９２とコネクタ９４を一体的に形成することができる。別法として、衣服本体９２及びコネクタ９４は、別個の片から構成することができ、（接着剤、ファスナ、又は同様のものなどで）相互に取り付けることもできる。衣服本体を弾性材料又は液体不浸透性材料から構成することもできる。同様にコネクタを弾性材料又は液体不浸透性材料で構成することができる。衣服本体９２は、体の任意の部分に着用することができる。体の部分の一実施例としては、図５に示すように顔の一部分などがある。体の他の実施例としては、使用者が静脈注射による液体を必要とする場合のような、腕の一部分などがある。
【００６８】
衣服本体９２は、蒸泄を可能にする多数の穿孔が設けられた部分を含むことができる。さらに、衣服本体９２は、それが着用者にぴったりと又は快適に合うよう、衣服本体９２を調節するために、（図示しない）ストラップ又は（スナップ、クリップ、ファスナ、又は同様のものなどの）他のタイプの調節デバイスを含むことができる。図５に示す実施例では、調節デバイスは、使用者の頭部に合うように調節することができる。
【００６９】
コネクタ９４は、管９６を保護衣服９０に連結する。管９６は、体から液体を吸収し、又は体に液体を送達するのに使用することができる。例えば、図５に示すように、体からの排出に管を使用することもできる。別法として、体に流体又は液体を供給するのに管を使用することもできる。
【００７０】
コネクタは、（例えば吸収性材料などの）材料がそれに関連付けられるようにする。このようなやり方で、使用者に対する不快感をより小さくして、管９６をコネクタ９４に連結することができる。コネクタは、ねじ切り９８などによって、多様な方法で管と嵌め合わせることができる。ねじ切りは管９６、コネクタ９４、或いはコネクタ９４と管９６の双方に形成することができる。別法として、管９６を圧入することによって、管９６をコネクタ９４と嵌め合わすこともできる。
【００７１】
当業者には、本発明が、以上に特に示し、記述したものに限定されないことを理解されたい。そうではなく、以上の記述を読んで一般当業者に思い付くことがあり、従来技術には存在しない、この明細書で述べ、図面で示した様々な特徴の変化形態及び修正形態を本発明の範囲は含むものである。
【図１Ａ】
2011047100.tif 000003
【図１Ｂ】
2011047100.tif 000004
【図１Ｃ】
2011047100.tif 000005
【図１Ｄ】
2011047100.tif 000006
【図１Ｅ】
2011047100.tif 000007
【図１Ｆ】
2011047100.tif 000008
【図１Ｇ】
2011047100.tif 000009
【図１Ｈ】
2011047100.tif 000010
【図１Ｉ】
2011047100.tif 000011
【図２】
2011047100.tif 000012
【図３Ａ】
2011047100.tif 000013
【図３Ｂ】
2011047100.tif 000014
【図４】
2011047100.tif 000015
【図５】
2011047100.tif 000016